(57)【要約】【課題】容器であるセラミック基板の横壁の一部を邪魔にならないように取り除いているため、部品搭載時に部品吸着部が横壁にぶつかることなく、限られた領域に多くの電子部品を容易に搭載することができる。また、蓋である圧電振動素子に前記横壁の代わりとなる壁を設けているため、気密性を損なうことなく一体化することが可能であり、圧電発振器の小型化と信頼性の向上を図ることが可能である。【解決手段】請求項１に示される本発明の圧電発振器は、圧電振動素子を蓋とし、発振回路を構成する電子部品を搭載したセラミック基板を容器として一体化して構成し、容器であるセラミック基板の横壁の一部を構成せず、蓋である圧電振動素子に前記横壁の代わりとなる壁を設けて一体化したことを特徴とする構成をもつ。【選択図】図１
2005191624.tif 000002
【特許請求の範囲】
【請求項１】
圧電振動素子と、発振回路を構成する電子部品を搭載したセラミック基板とを、圧電振動素子を蓋とし、セラミック基板を容器として一体化して構成する圧電発振器において、容器であるセラミック基板の横壁の一部を構成せず、蓋である圧電振動素子に前記横壁の代わりとなる壁を設けて一体化して構成したことを特徴とする圧電発振器。
【請求項２】
圧電振動素子と、発振回路を構成する電子部品を搭載したセラミック基板とを、圧電振動素子を蓋とし、セラミック基板を容器として一体化して構成する圧電発振器において、容器であるセラミック基板の横壁の一辺を構成せず、蓋である圧電振動素子に前記横壁の代わりとなる壁を設けて一体化して構成したことを特徴とする圧電発振器。
【請求項３】
圧電振動素子と、発振回路を構成する電子部品を搭載したセラミック基板とを、圧電振動素子を蓋とし、セラミック基板を容器として一体化して構成する圧電発振器において、容器であるセラミック基板の横壁の二辺を構成せず、蓋である圧電振動素子に前記横壁の代わりとなる壁を設けて一体化して構成したことを特徴とする圧電発振器。
【請求項４】
圧電振動素子と、発振回路を構成する電子部品を搭載したセラミック基板とを、圧電振動素子を蓋とし、セラミック基板を容器として一体化して構成する圧電発振器において、容器であるセラミック基板の横壁の三辺を構成せず、蓋である圧電振動素子に前記横壁の代わりとなる壁を設けて一体化して構成したことを特徴とする圧電発振器。
【発明の詳細な説明】
【技術分野】
【０００１】
本発明は、圧電振動素子と、発振回路を構成する電子部品を搭載したセラミック基板とを一体化して構成した圧電発振器に関するものである。
【背景技術】
【０００２】
近年、携帯電話が広く普及しており、その基準周波数発振器として圧電発振器が用いられている。圧電発振器には高精度の基準周波数発振器としての性能とともに、部品としての小型化が要求されており、近年は小型モジュール化されているものが多い。
【０００３】
従来例における圧電発振器について、図５（Ａ）、図５（Ｂ）及び図５（Ｃ）を用いて詳細に説明する。図５（Ａ）は従来例における圧電発振器の構成図であり、図５（Ｂ）はその横方向側面図、図５（Ｃ）はその縦方向側面図である。
【０００４】
図５（Ａ）の構成において、１はセラミック基板、２は圧電振動素子、３は半導体チップ部品、４はコンデンサチップ部品、５および５’は、圧電振動素子２と半導体チップ部品３とを電気的に接続するための電極である。また６および６’はバンプである。圧電発振器はこのように圧電振動素子を蓋とし、発振回路を構成する電子部品を搭載したセラミック基板を容器として一体化する構成をもっている。
【発明の開示】
【発明が解決しようとする課題】
【０００５】
しかしながら従来の構成の圧電発振器では、圧電振動素子を蓋とし、発振回路を構成する電子部品を搭載したセラミック基板を容器として一体化する構成をもつため、小型化された時に、部品実装時に部品吸着部が、セラミック基板の横壁にぶつかる、あるいは、小型になり過ぎて部品吸着部がセラミック基板の容器に入らず部品を実装できないという製造上の不具合を生じる。上記不具合を回避するために、セラミック基板の横壁を除去すると圧電発振器の気密性を損なうという問題を生じる。
【０００６】
本発明は上記従来の問題点を解決するもので、セラミック基板の横壁を除去しても圧電発振器の気密性を保つことが可能である。
【課題を解決するための手段】
【０００７】
この目的を達成するために、請求項１に示される本発明の圧電発振器は、圧電振動素子を蓋とし、発振回路を構成する電子部品を搭載したセラミック基板を容器として一体化して構成し、容器であるセラミック基板の横壁の一部を構成せず、蓋である圧電振動素子に前記横壁の代わりとなる壁を設けて一体化したことを特徴とする構成をもつ。
【０００８】
また、請求項２に示される本発明の圧電発振器は、圧電振動素子を蓋とし、発振回路を構成する電子部品を搭載したセラミック基板を容器として一体化して構成し、容器であるセラミック基板の横壁の一辺を構成せず、蓋である圧電振動素子に前記横壁の代わりとなる壁を設けて一体化したことを特徴とする構成をもつ。
【０００９】
また、請求項３に示される本発明の圧電発振器は、圧電振動素子を蓋とし、発振回路を構成する電子部品を搭載したセラミック基板を容器として一体化して構成し、容器であるセラミック基板の横壁の二辺を構成せず、蓋である圧電振動素子に前記横壁の代わりとなる壁を設けて一体化したことを特徴とする構成をもつ。
【００１０】
また、請求項４に示される本発明の圧電発振器は、圧電振動素子を蓋とし、発振回路を構成する電子部品を搭載したセラミック基板を容器として一体化して構成し、容器であるセラミック基板の横壁の三辺を構成せず、蓋である圧電振動素子に前記横壁の代わりとなる壁を設けて一体化したことを特徴とする構成をもつ。
【発明の効果】
【００１１】
以上のように、本発明の圧電発振器は、従来技術と比べて容器であるセラミック基板の横壁の一部を邪魔にならないように取り除いているため、部品搭載時に部品吸着部が横壁にぶつかることなく、限られた領域に多くの電子部品を容易に搭載することが可能であり、また、蓋である圧電振動素子に前記横壁の代わりとなる壁を設けているため、気密性を損なうことなく一体化することが可能であり、圧電発振器の小型化と信頼性の向上を図ることが可能である。
【発明を実施するための最良の形態】
【００１２】
この請求項１に示される構成によって本発明の圧電発振器は、容器であるセラミック基板の横壁の一部を邪魔にならないように取り除いているため、部品搭載時に部品吸着部が横壁にぶつかることなく、限られた領域に多くの電子部品を容易に搭載することができる。また、蓋である圧電振動素子に前記横壁の代わりとなる壁を設けているため、気密性を損なうことなく一体化することが可能であり、圧電発振器の小型化と信頼性の向上を図ることが可能である。
【００１３】
また、請求項２に示される構成においては、容器であるセラミック基板の横壁の一辺を邪魔にならないように取り除いているため、同じ作用を得ることができる。
【００１４】
また、請求項３に示される構成においては、容器であるセラミック基板の横壁の二辺を邪魔にならないように取り除いているため、同じ作用を得ることができる。
【００１５】
また、請求項４に示される構成においては、容器であるセラミック基板の横壁の三辺を邪魔にならないように取り除いているため、同じ作用を得ることができる。
【００１６】
（実施の形態）
次に本発明の実施の形態における圧電発振器について、図面を参照しながら詳細に説明する。また、従来例の図５（Ａ）、図５（Ｂ）及び図５（Ｃ）で説明した同一作用効果のものには同一符号を付し、その詳細な説明は省略する。図１（Ａ）は請求項１に示される本発明の一実施の形態における圧電発振器の構成図であり、図１（Ｂ）はその横方向側面図、図１（Ｃ）はその縦方向側面図である。７は圧電振動素子２に取り付けた壁であり、セラミック基板１の横壁の一部を取り除いた箇所をふさぎ、気密性を保つためのものである。この請求項１に示される構成によって本発明の圧電発振器は、容器であるセラミック基板の横壁の一部を邪魔にならないように取り除いているため、部品搭載時に部品吸着部が横壁にぶつかることなく、限られた領域に多くの電子部品を容易に搭載することができる。また、電子部品搭載後は蓋である圧電振動素子に前記横壁の代わりとなる壁を設けているため、気密性を損なうことなく一体化することが可能である。
【００１７】
図２（Ａ）は請求項２に示される本発明の一実施の形態における圧電発振器の構成図であり、図２（Ｂ）はその横方向側面図、図２（Ｃ）はその縦方向側面図である。請求項１に記載の圧電発振器と同じ作用を得ることが可能である。
【００１８】
図３（Ａ）は請求項３に示される本発明の一実施の形態における圧電発振器の構成図であり、図３（Ｂ）はその横方向側面図、図３（Ｃ）はその縦方向側面図である。請求項１に記載の圧電発振器と同じ作用を得ることが可能である。
【００１９】
図４（Ａ）は請求項４に示される本発明の一実施の形態における圧電発振器の構成図であり、図４（Ｂ）はその横方向側面図、図４（Ｃ）はその縦方向側面図である。請求項１に記載の圧電発振器と同じ作用を得ることが可能である。
【産業上の利用可能性】
【００２０】
以上のように、本発明の圧電発振器は、従来技術と比べて容器であるセラミック基板の横壁の一部を邪魔にならないように取り除いているため、部品搭載時に部品吸着部が横壁にぶつかることなく、限られた領域に多くの電子部品を容易に搭載することが可能であり、また、蓋である圧電振動素子に前記横壁の代わりとなる壁を設けているため、気密性を損なうことなく一体化することが可能であり、圧電発振器の小型化と信頼性の向上を図ることが可能である。
【図面の簡単な説明】
【００２１】
【図１】（Ａ）請求項１に示される本発明の圧電発振器の構成図、（Ｂ）請求項１に示される本発明の圧電発振器の横方向側面図、（Ｃ）請求項１に示される本発明の圧電発振器の縦方向側面図
【図２】（Ａ）請求項２に示される本発明の圧電発振器の構成図、（Ｂ）請求項２に示される本発明の圧電発振器の横方向側面図、（Ｃ）請求項２に示される本発明の圧電発振器の縦方向側面図
【図３】（Ａ）請求項３に示される本発明の圧電発振器の構成図、（Ｂ）請求項３に示される本発明の圧電発振器の横方向側面図、（Ｃ）請求項３に示される本発明の圧電発振器の縦方向側面図
【図４】（Ａ）請求項４に示される本発明の圧電発振器の構成図、（Ｂ）請求項４に示される本発明の圧電発振器の横方向側面図、（Ｃ）請求項４に示される本発明の圧電発振器の縦方向側面図
【図５】（Ａ）従来例の圧電発振器の構成図、（Ｂ）従来例の圧電発振器の横方向側面図、（Ｃ）従来例の圧電発振器の縦方向側面図
【符号の説明】
【００２２】
１  セラミック基板
２  圧電振動素子
３  半導体チップ部品
４  コンデンサチップ部品
５  電極
５’  電極
６  バンプ
６’  バンプ
７  壁
【図１】
2005191624.tif 000003
【図２】
2005191624.tif 000004
【図３】
2005191624.tif 000005
【図４】
2005191624.tif 000006
【図５】
2005191624.tif 000007